(57)【特許請求の範囲】
【請求項１】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データに８ビット／１０ビット変換処理を施すとともに、該８ビット／１０ビット変換処理により順次得られる１０ビットワードデータに基づく第２のワード列データを形成し、該第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、該複合ワード列データをシリアルデータに変換して、該シリアルデータを伝送すべく送出するデータ伝送方法。
【請求項２】
付加ワードデータグループを挿入する第２のワード列データにおける複数のディジタル映像信号のうちの一つについての特定の位置に対応する部分を、上記第２のワード列データにおける上記複数のディジタル映像信号のうちの一つのラインブランキング期間内における所定の位置に対応する部分に設定することを特徴とする請求項１記載のデータ伝送方法。
【請求項３】
付加ワードデータグループを挿入する第２のワード列データにおける複数のディジタル映像信号のうちの一つについての特定の位置に対応する部分を、上記第２のワード列データにおける上記複数のディジタル映像信号のうちの一つのラインブランキング期間内におけるタイミング基準コードデータの直前に対応する部分に設定することを特徴とする請求項２記載のデータ伝送方法。
【請求項４】
複数のディジタル映像信号の夫々を、１０ビットワード列データのデータ形式をとる信号となすことを特徴とする請求項１から請求項３までのいずれかに記載のデータ伝送方法。
【請求項５】
複数のディジタル映像信号とビット付加信号との組合せを、３チャンネルの１０ビットワード列データのデータ形式をとるディジタル映像信号と２ビット付加データとで形成することを特徴とする請求項４記載のデータ伝送方法。
【請求項６】
第１のワード列データを１６ビットワード列データとするとともに、第２のワード列データを２０ビットワード列データとし、付加ワードデータグループを、ワード同期データが２０ビットワードを形成するものとして、複合ワード列データを、複合２０ビットワード列データとすることを特徴とする請求項５記載のデータ伝送方法。
【請求項７】
付加ワードデータグループを、第２のワード列データにおける該付加ワードデータグループの直前のものとなるワードデータのランニング・ディスパリティが正である場合と負である場合とで異なるコードを有するものとなすことを特徴とする請求項１から請求項６までのいずれかに記載のデータ伝送方法。
【請求項８】
付加ワードデータグループを、複合ワード列データに、ランニング・ディスパリティを正とするワード同期データが含まれることになるものに選定することを特徴とする請求項１から請求項７までのいずれかに記載のデータ伝送方法。
【請求項９】
付加ワードデータグループを、複合ワード列データに、ランニング・ディスパリティを負とするワード同期データが含まれることになるものに選定することを特徴とする請求項１から請求項７までのいずれかに記載のデータ伝送方法。
【請求項１０】
付加ワードデータグループを、ランニング・ディスパリティをニュートラルとする補助ワードデータを含むものとすることを特徴とする請求項１から請求項９までのいずれかに記載のデータ伝送方法。
【請求項１１】
ビット同期はとられているが水平同期及び垂直同期がとられていない複数のディジタル映像信号もしくは該複数のディジタル映像信号とビット付加信号との組合せに、多重化処理を施して第１のワード列データを得るデータ多重手段と、
該データ多重手段から得られる第１のワード列データに８ビット／１０ビット変換処理を施すとともに、該８ビット／１０ビット変換処理により順次得られる１０ビットワードデータに基づく第２のワード列データを形成する８ビット／１０ビット変換・ワード列データ形成手段と、
該８ビット／１０ビット変換・ワード列データ形成手段から得られる第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成するデータ挿入手段と、
該データ挿入手段から得られる複合ワード列データをシリアルデータに変換して、該シリアルデータを伝送すべく送出するデータ送出手段と、
を備えて構成されるデータ伝送装置。
【請求項１２】
データ挿入手段が、付加ワードデータグループを、第２のワード列データにおける複数のディジタル映像信号のうちの一つのラインブランキング期間内におけるタイミング基準コードデータの直前に対応する部分に挿入することを特徴とする請求項１１記載のデータ伝送装置。
【請求項１３】
データ挿入手段が、コードを異にする第１及び第２の付加ワードデータグループを夫々送出する第１及び第２のワードデータ送出部を備え、第２のワード列データにおける付加ワードデータグループの直前のものとなるワードデータのランニング・ディスパリティが正である場合には、上記第２のワード列データに上記第１の付加ワードデータグループを挿入し、上記直前のものとなるワードデータのランニング・ディスパリティが負である場合には、上記第２のワード列データに上記第２の付加ワードデータグループを挿入することを特徴とする請求項１１または請求項１２記載のデータ伝送装置。
【請求項１４】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データに８ビット／１０ビット変換処理を施すとともに、該８ビット／１０ビット変換処理により順次得られる１０ビットワードデータに基づく第２のワード列データを形成し、該第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、該複合ワード列データをシリアルデータに変換して、該シリアルデータを伝送すべく送出するデータ伝送方法に従って送出される上記シリアルデータを受信し、該シリアルデータにおける上記ワード同期データがシリアルデータに変換された部分を同期データとして検出し、検出された同期データに基づくワード同期をとって、上記シリアルデータを上記複合ワード列データに変換した後、該複合ワード列データに含まれるワード同期データに基づくワード同期をとって、上記複合ワード列データから上記付加ワードデータグループを分離して上記第２のワード列データを得、さらに、上記複合ワード列データに含まれるワード同期データに基づくワード同期をとって、上記第２のワード列データに１０ビット／８ビット変換処理を施して、該１０ビット／８ビット変換処理により順次得られる８ビットワードデータに基づく上記第１のワード列データを得、該第１のワード列データから互いに分離された上記複数のディジタル映像信号もしくは上記複数のディジタル映像信号と上記ビット付加信号とを再生するデータ受信方法。
【請求項１５】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データに８ビット／１０ビット変換処理を施すとともに、該８ビット／１０ビット変換処理により順次得られる１０ビットワードデータに基づく第２のワード列データを形成し、該第２のワード列データにおける上記複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、該複合ワード列データをシリアルデータに変換して、該シリアルデータを伝送すべく送出するデータ伝送方法に従って送出される上記シリアルデータを受信する受信手段と、
該受信手段から得られる上記シリアルデータにおける上記ワード同期データがシリアルデータに変換された部分を同期データとして検出し、検出された同期データに基づくワード同期をとって、上記シリアルデータを上記複合ワード列データに変換するデータ変換手段と、
該データ変換手段において得られる上記複合ワード列データに含まれるワード同期データに基づくワード同期をとって、上記データ変換手段から得られる上記複合ワード列データから上記付加ワードデータグループを分離して、上記第２のワード列データを得るワードデータ分離手段と、
上記データ変換手段において得られる上記複合ワード列データに含まれるワード同期データに基づくワード同期をとって、上記ワードデータ分離手段から得られる上記第２のワード列データに１０ビット／８ビット変換処理を施して、該１０ビット／８ビット変換処理により順次得られる８ビットワードデータに基づく上記第１のワード列データを得る１０ビット／８ビット変換・ワード列データ形成手段と、
該１０ビット／８ビット変換・ワード列データ形成手段から得られる上記第１のワード列データから、互いに分離された上記複数のディジタル映像信号もしくは上記複数のディジタル映像信号と上記ビット付加信号とを再生するデータ分離手段と、
を備えて構成されるデータ受信装置。
【発明の詳細な説明】
【０００１】
【発明の属する技術分野】
本願の特許請求の範囲に記載された発明は、複数のディジタル映像信号もしくは複数のディジタル映像信号とビット付加信号との組合せに、多重化処理を施してワード列データを得、そのワード列データに、８ビット／１０ビット変換，ワード同期データの挿入等の処理を施し、さらに、シリアルデータに変換して伝送すべく送出するデータ伝送方法及びその実施に供されるデータ伝送装置、並びに、当該データ伝送方法に従って伝送されるデータを受信するデータ受信方法及びその実施に供されるデータ受信装置に関する。
【０００２】
【従来の技術】
画像情報等の各種の信号情報をあらわす情報データを含んだディジタルデータの伝送に関する分野においては、ディジタルデータをシリアルデータとし、そのシリアルデータに基づく電気信号を得て、それを同軸ケーブルあるいはツイステッドペアライン等が用いられて形成された伝送路を通じて伝送するシステム、あるいは、ディジタルデータをシリアルデータとし、そのシリアルデータを光信号に変換して、オプティカル・ファイバーが用いられて形成された伝送路を通じて伝送するシステム等が提案されている。
【０００３】
斯かるディジタルデータ伝送システムの一つとして、ファイバーチャンネル・システム（Fibre Channel System) と称されるものが知られている。このファイバーチャンネル・システムの如くのディジタルデータ伝送システムのもとで扱われるディジタルデータは、送信側において、例えば、８ビット毎に１０ビットへの変換が行われ、その変換が予め用意された変換テーブルに従うものとされる、８ビット／１０ビット変換（８Ｂ／１０Ｂ変換）処理が施されるとともに、１０もしくは２０ビットワード列データを形成するものとされる。そして、実際に伝送されるのは、８Ｂ／１０Ｂ変換が行われて形成される１０もしくは２０ビットワード列データに、さらにパラレルデータをシリアルデータに変換するパラレル／シリアル変換（Ｐ／Ｓ変換）処理が施されて得られるシリアルデータとされる。
【０００４】
これに対して、受信側においては、受信されたシリアルデータに、シリアルデータをパラレルデータに変換するシリアル／パラレル変換（Ｓ／Ｐ変換）処理が施されて、１０もしくは２０ビットワード列データが形成され、その１０もしくは２０ビットワード列データに、１０ビット毎に８ビットへの変換が行われ、その変換が予め用意された変換テーブルに従うものとされる、１０ビット／８ビット変換（１０Ｂ／８Ｂ変換）処理が施される。そして、１０Ｂ／８Ｂ変換が行われて形成されるワード列データから、元のディジタル映像信号が再生される。
【０００５】
このような伝送されるべきディジタルデータに８Ｂ／１０Ｂ変換が施されて行われるデータ伝送は、選択された内容を有する１０ビットワードが用いられることにより、良好な伝送品質をもたらすものとして認識されている。
【０００６】
また、ファイバーチャンネル・システムの如くのディジタルデータ伝送システムのもとで、例えば、１０ビットワード列データとして伝送されるディジタルデータは、その一例を挙げると、図１６に示される如くの、“フレーム”と称される最小の独立したパケットが形成されるデータフォーマットに従うものとされる。図１６に示される“フレーム”にあっては、全体が２１４８バイトで構成されており、その内容は、４バイト構成のフレームスタート部分，２４バイト構成のフレームヘッダ部分，６４バイト構成のオプショナルヘッダ部分，２０４８バイト構成のペイロード部分，４バイト構成のエラーチェック部分及び４バイト構成のフレームエンド部分が順次連なるものとなっている。
【０００７】
これらの“フレーム”を構成する各部分のうちの２０４８バイトのペイロード部分が、信号情報をあらわす１０ビットワード列データを格納する。即ち、１０ビットワード列データが伝送されるにあたっては、送信側において、ペイロード部分に最大で２０４８バイトの１０ビットワード列データを格納した“フレーム”が多数形成され、それらが順次送出され、受信側においては、順次到来する多数の“フレーム”の夫々におけるペイロード部分から、１０ビットワード列データを取り出す。
【０００８】
このような１０ビットワード列データにおける１０ビット構成のワードの夫々は、それを構成する１０ビットが、“１”の数が“０”の数より多いもの，“０”の数が“１”の数より多いもの、もしくは、“１”の数と“０”の数とが等しいものとなる。斯かる“１”及び“０”の夫々の数の状態をあらわすにあたって、例えば、ランニング・ディスパリティ（Running Disparity : ＲＤ）という考え方が導入されており、“１”の数が“０”の数より多いとき、ランニング・ディスパリティ（ＲＤ）が正であると言い、また、“０”の数が“１”の数より多いとき、ＲＤが負であると言い、さらに、“１”の数と“０”の数とが等しいとき、ＲＤがニュートラルであると言う。そして、“１”の数が“０”の数より多いワードデータはＲＤを正とするワードデータ，“０”の数が“１”の数より多いワードデータはＲＤを負とするワードデータ，“１”の数と“０”の数とが等しいワードデータはＲＤをニュートラルとするワードデータ（ニュートラル・ワードデータ）と称される。
【０００９】
また、前述の如くにして１０ビットワード列データが伝送されるに際しては、受信側において１０ビットワード列データについて行われる１０Ｂ／８Ｂ変換にあたり、１０ビット構成の各ワードデータを的確に把握することが要され、そのため、送信側において、シリアルデータとされて伝送される１０ビットワード列データが、ワード同期データの挿入が適宜なされたものとされる。このワード同期データは、１０ビット構成のワードデータではあるが、情報伝達を行う１０ビット構成のワードデータとしては用いられない特定のコードを有するものとされる。そして、ワード同期データは、挿入されるに際して、直前のワードデータがＲＤを負とするものであるとき、ＲＤを正とするものとされ、また、直前のワードデータがＲＤを正とするものであるとき、ＲＤを負とするものとされる。
【００１０】
このようなワード同期データは、例えば、Ｋ２８．５というコードネームで呼ばれる１０ビット構成のワードデータＤＳ１０とされる。図１７は、Ｋ２８．５というコードネームで呼ばれる１０ビット構成のワードデータＤＳ１０を示し、このワードデータＤＳ１０は、その直前に配されたワードデータによるＲＤであるＣＲＤが負（−）であるとき、ＲＤを正とする“００１１１１１０１０”とされ、また、直前に配されたワードデータによるＲＤであるＣＲＤが正（＋）であるとき、ＲＤを負とする“１１０００００１０１”とされる（以後、“００１１１１１０１０”を＋Ｋ２８．５と言い、また、“１１０００００１０１”を−Ｋ２８．５と言う）。
【００１１】
一方、映像信号の分野においては、その伝送に関連して伝達情報の多様化及び再生画像の高品質化を実現する観点等から、映像信号のディジタル伝送化が図られている。そして、映像信号のディジタル伝送化のための規格化されたディジタル映像信号が提案されており、例えば、４：２：２コンポーネントディジタル映像信号（Ｄ１信号），４ｆｓｃコンポジットディジタル映像信号（Ｄ２信号）等が知られている。これらＤ１信号，Ｄ２信号等は、例えば、映像信号における輝度信号成分をあらわす１０ビットワード列データとされたＹデータ系列と、映像信号における色差信号成分をあらわす１０ビットワード列データとされたＣB ／ＣR データ系列とに、ワード多重処理が施されるとともに、その結果得られるワード多重データ系列のうちの所定の部分が、タイミング基準コードデータ（ＳＡＶ：Start of Active Video 及びＥＡＶ：End of Active Video)により置換されて得られるものとされる。ＳＡＶ及びＥＡＶは、ワード同期データの役割を果たす。
【００１２】
例えば、Ｄ１信号を構成するデータ系列は、１０ビットワード列データの形式をとり、例えば、図１８に示される如くのデータフォーマットに従うものとされる。図１８には、Ｄ１信号における各ライン期間中のラインブランキング期間及びその前後における映像データ期間の一部に対応する部分が示されている。斯かる部分においては、各映像データ期間に対応する部分の直前に、各々が１０ビット構成とされる４ワード（３ＦＦ，０００，０００，ＸＹＺ）から成るタイミング基準コードデータであるＳＡＶが配されるとともに、各映像データ期間に対応する部分の直後に、各々が１０ビット構成とされる４ワード（３ＦＦ，０００，０００，ＸＹＺ）から成るタイミング基準コードデータであるＥＡＶが配される。３ＦＦ及び０００は１６進表示された固定値情報であり、ＸＹＺは１６進表示された可変値情報であって、フィールドの識別，フィールドブランキング期間の識別、及び、ＳＡＶ及びＥＡＶの識別を示す。
【００１３】
斯かる図１８に示される如くの１０ビットワード列データを形成するＤ１信号は、伝送されるに際しては、Ｐ／Ｓ変換処理によりシリアルデータに変換されて送出される。そして、受信側においては、受信されたシリアルデータ中のＳＡＶもしくはＥＡＶに基づく部分が検出され、それによりワード同期がとられるもとでＳ／Ｐ変換処理が施されて、Ｄ１信号が再生される。
【００１４】
また、画像情報をあらわすディジタルデータ、即ち、ディジタル画像情報データは、通常、データ量が膨大なものとなるので、例えば、その伝送，記録等が行われるにあたっては、データの品質を実質的に低下させることなくデータ量を低減させることができるデータ圧縮が施されたものとされることが望まれる。それゆえ、ディジタル画像情報データについて、そのデータ量を低減させるためのデータ圧縮技術の研究開発が種々行われてきているが、それらの成果の一つとして、画像情報、特に、動画情報をあらわすディジタルデータであるディジタル画像情報データについてのデータ圧縮に関して、それを実施する手法として、国際標準化団体のもとにおける技術委員会の傘下の作業部会であるＭＰＥＧ（Moving Picture Experts Group) によって検討され、規格として承認された、ＭＰＥＧと称される標準方式が提案されている。
【００１５】
このＭＰＥＧと称される標準方式にあっては、ディジタル画像情報データに高能率符号化によるデータ圧縮が施されることになるが、ディジタル画像情報データについてのＭＰＥＧに従った高能率符号化によるデータ圧縮が行われる場合には、極めて高い圧縮率のデータ圧縮を実現でき、しかも、データ圧縮が施されたディジタル画像情報データに基づいて再生される画像を高品質なものとすることができる利点が得られる。従って、ディジタル・ビデオカメラ，ディジタル・ビデオテープレコーダ等の業務用あるいは家庭用電子機器の分野において、ＭＰＥＧに従った高能率符号化によるデータ圧縮が施されたディジタル画像情報データ（ＭＰＥＧ画像情報データ）を取り扱うものが増加していく傾向にある。ＭＰＥＧ画像情報データは、一般に、８ビットワード列データを形成するものとされる。
【００１６】
このようなＭＰＥＧ画像情報データの如くの圧縮されたディジタル映像信号データ、さらには、それに音声データが加えられて成る圧縮されたディジタル映像及び音声信号データを、シリアルデータとして伝送路を通じて伝送するにあたって用いられるべく開発されたインターフェースとして、ＳＤＴＩ（Serial Data Transport Interface)と称されるものが提案されている。このＳＤＴＩは、米国のＳＭＰＴＥ（Society of Motion Picture and Television Engineers：映画テレビジョン技術者協会) により“ＳＭＰＴＥ  ３０５Ｍ”をもって規格化されている。
【００１７】
ＳＤＴＩのもとにおける信号フォーマット（ＳＤＴＩ信号フォーマット）にあっても、必要に応じて、各ライン期間中にタイミング基準コードデータが配される。そして、圧縮されたディジタル映像信号データもしくは映像及び音声信号データの伝送に用いられるＳＤＴＩ信号フォーマットに従って形成されたディジタル信号（ＳＤＴＩ信号）も、パラレルデータからシリアルデータに変換され、電気信号あるいは光信号とされる伝送信号の形で伝送される。
【００１８】
上述の如くのＤ１信号，Ｄ２信号，ＳＤＴＩ信号等のディジタル映像信号の伝送についても、送信側において、伝送されるべきディジタル映像信号に対する８Ｂ／１０Ｂ変換及びワード同期データの付加が行われて、伝送されるべきディジタル映像信号に基づく、８Ｂ／１０Ｂ変換処理が施されるとともにワード同期データを含むものとされたワード列データが形成され、そのワード列データがシリアルデータに変換されて送出される伝送方式、をもって行われるようにされることが、例えば、送受信回路を構成するにあたって既存の集積回路（ＩＣ）素子等を有効に利用できる観点から望まれるところとなる。
【００１９】
【発明が解決しようとする課題】
上述の如くに、送信側において、伝送されるべきディジタル映像信号に基づいて、８Ｂ／１０Ｂ変換処理が施されるとともにワード同期データを含むものとされたワード列データが形成され、そのワード列データがシリアルデータに変換されて送出される伝送方式をもっての、Ｄ１信号，Ｄ２信号，ＳＤＴＩ信号等のディジタル映像信号の伝送が望まれるもとにあって、一つのディジタル映像信号のみならず、複数のディジタル映像信号を多重して伝送でき、特に、複数のディジタル映像信号が、ビット同期はとられているが、水平同期（ライン同期）及び垂直同期（フレーム同期）はとられていない場合にも、それらを多重して伝送できることになれば、Ｄ１信号，Ｄ２信号，ＳＤＴＩ信号等のディジタル映像信号の効率的な利用が図られ、さらには、その利用範囲の拡大が図られることになる。そして、Ｄ１信号，Ｄ２信号，ＳＤＴＩ信号等のディジタル映像信号の効率的な利用あるいは利用範囲の拡大等は、例えば、業務用あるいは家庭用電子機器の分野における技術の更なる発展をもたらすことになる。
【００２０】
しかしながら、従来にあっては、送信側において、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、複数のＤ１信号，Ｄ２信号，ＳＤＴＩ信号等のディジタル映像信号を、それがビット同期はとられているが水平同期及び垂直同期はとられていない場合にあっても、比較的容易に整えることができる手段により、多重伝送することができる伝送システムを実現させた具体例は見当たらない。また、このようにして複数のＤ１信号，Ｄ２信号，ＳＤＴＩ信号等のディジタル映像信号を、それがビット同期はとられているが水平同期及び垂直同期はとられていない場合にあっても、比較的容易に整えることができる手段により、多重伝送することができる伝送システムに関する技術について記載された文献等も見出せない。
【００２１】
斯かる点に鑑み、本願の特許請求の範囲に記載された発明は、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができる、データ伝送方法及びその実施に供されるデータ伝送装置、並びに、当該データ伝送方法に従って伝送されるデータを受信するデータ受信方法及びその実施に供されるデータ受信装置を提供する。
【００２２】
【課題を解決するための手段】
本願の特許請求の範囲における請求項１から請求項１０までのいずれかに記載された発明に係るデータ伝送方法は、ビット同期はとられているが水平同期及び垂直同期がとられていない複数のディジタル映像信号もしくはそれらとビット付加信号との組合せに、多重化処理を施して第１のワード列データを得、第１のワード列データに８Ｂ／１０Ｂ変換処理を施すとともに、８Ｂ／１０Ｂ変換処理により順次得られる１０ビットワードデータに基づく第２のワード列データを形成し、第２のワード列データにおける複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成し、複合ワード列データをシリアルデータに変換して、そのシリアルデータを伝送すべく送出するものとされる。
そして、本願の特許請求の範囲における請求項１４に記載された発明に係るデータ受信方法は、上述の本願の特許請求の範囲における請求項１から請求項１０までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【００２３】
特に、本願の特許請求の範囲における請求項３に記載された発明に係るデータ伝送方法は、付加ワードデータグループを挿入する第２のワード列データにおける複数のディジタル映像信号のうちの一つについての特定の位置に対応する部分を、第２のワード列データにおける複数のディジタル映像信号のうちの一つのラインブランキング期間内におけるタイミング基準コードデータの直前に対応する部分に設定するものとされる。
【００２４】
さらに、特に、本願の特許請求の範囲における請求項５に記載された発明に係るデータ伝送方法は、複数のディジタル映像信号とビット付加信号との組合せを、３チャンネルの１０ビットワード列データのデータ形式をとるディジタル映像信号と２ビット付加データとし、それに基づく第１のワード列データを１６ビットワード列データとするとともに、第２のワード列データを２０ビットワード列データとし、付加ワードデータグループを、ワード同期データが２０ビットワードを形成するものとして、複合ワード列データを、複合２０ビットワード列データとするものとされる。
【００２５】
また、本願の特許請求の範囲における請求項１１から請求項１３までのいずれかに記載された発明に係るデータ伝送装置は、ビット同期はとられているが水平同期及び垂直同期がとられていない複数のディジタル映像信号もしくはそれらとビット付加信号との組合せに、多重化処理を施して第１のワード列データを得るデータ多重手段と、データ多重手段から得られる第１のワード列データに８Ｂ／１０Ｂ変換処理を施すとともに、８Ｂ／１０Ｂ変換処理により順次得られる１０ビットワードデータに基づく第２のワード列データを形成する８Ｂ／１０Ｂ変換・ワード列データ形成手段と、８Ｂ／１０Ｂ変換・ワード列データ形成手段から得られる第２のワード列データにおける複数のディジタル映像信号のうちの一つについての特定の位置に対応する部分に、予め設定されたコードを有するワード同期データを含んだ付加ワードデータグループを挿入することにより、ワード同期データを含んだ複合ワード列データを形成するデータ挿入手段と、データ挿入手段から得られる複合ワード列データをシリアルデータに変換して、シリアルデータを伝送すべく送出するデータ送出手段と、を備えて構成される。
そして、本願の特許請求の範囲における請求項１５に記載された発明に係るデータ受信装置は、前述の本願の特許請求の範囲における請求項１から請求項１０までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【００２６】
特に、本願の特許請求の範囲における請求項１２に記載された発明に係るデータ伝送装置は、データ挿入手段が、付加ワードデータグループを、第２のワード列データにおける複数のディジタル映像信号のうちの一つのラインブランキング期間内におけるタイミング基準コードデータの直前に対応する部分に挿入するものとされて構成される。
【００２７】
上述の如くの本願の特許請求の範囲における請求項１から請求項１０までのいずれかに記載された発明に係るデータ伝送方法、及び、本願の特許請求の範囲における請求項１４に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成され、シリアルデータに変換されて送出される複合ワード列データには、それにおける複数のディジタル映像信号のうちの一つについての特定の位置に対応する部分に、ワード同期データを含んだ付加ワードデータグループが挿入されていることになる。ワード同期データは、例えば、ＲＤを正とするワードデータＤＳ１０である＋Ｋ２８．５、もしくは、ＲＤを負とするワードデータＤＳ１０である−Ｋ２８．５とされる。
【００２８】
付加ワードデータグループが挿入される、第２のワード列データにおける複数のディジタル映像信号のうちの一つについての特定の位置に対応する部分は、例えば、本願の特許請求の範囲における請求項３に記載された発明に係るデータ伝送方法の場合のように、第２のワード列データにおける複数のディジタル映像信号のうちの一つのラインブランキング期間内におけるタイミング基準コードデータの直前に対応する部分に設定される。
【００２９】
そして、このような複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１４に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【００３０】
特に、本願の特許請求の範囲における請求項１から請求項１０までのいずれかに記載された発明に係るデータ伝送方法によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、複数のＤ１信号，Ｄ２信号，ＳＤＴＩ信号等とされる、複数のディジタル映像信号を、比較的容易に整えることができる手段により伝送することができることになる。
【００３１】
また、本願の特許請求の範囲における請求項１１から請求項１３までのいずれかに記載された発明に係るデータ伝送装置、及び、本願の特許請求の範囲における請求項１５に記載された発明に係るデータ受信装置によれば、送信側においては、データ送出手段によりシリアルデータに変換されて送出される、例えば、複数のＤ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成される複合ワード列データには、ＲＤを予め定められた正もしくは負とするワード同期データが含まれていることになる。このようなワード同期データは、例えば、ＲＤを正とするワードデータＤＳ１０である＋Ｋ２８．５、もしくは、ＲＤを負とするワードデータＤＳ１０である−Ｋ２８．５とされる。
【００３２】
付加ワードデータグループ挿入処理を行うデータ挿入手段は、例えば、本願の特許請求の範囲における請求項１２に記載された発明に係るデータ伝送装置の場合のように、付加ワードデータグループを、第２のワード列データにおける複数のディジタル映像信号のうちのラインブランキング期間内におけるタイミング基準コードデータの直前に対応する部分に挿入する。
【００３３】
そして、このような複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１５に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【００３４】
特に、本願の特許請求の範囲における請求項１１から請求項１３までのいずれかに記載された発明に係るデータ伝送装置によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができることになる。
【００３５】
【発明の実施の形態】
図１は、本願の特許請求の範囲における請求項１から請求項１０までのいずれかに記載された発明に係るデータ伝送方法の一例が実施される、本願の特許請求の範囲における請求項１１から請求項１３までのいずれかに記載された発明に係るデータ伝送装置の一例を示す。
【００３６】
図１に示される例にあっては、複数のディジタル映像信号である３チャンネルのＤ１信号ＤＶＰ１，ＤＶＰ２及びＤＶＰ３と、ビット付加信号である２ビット付加データＤＡＢ（２）とが、データ多重部１１に供給される。３チャンネルのＤ１信号ＤＶＰ１〜ＤＶＰ３の夫々は、例えば、図１８に示される如くのデータ系列の態様をとる１０ビットワード列データを形成するディジタル信号であって、そのワード伝送レートを、例えば、２７ＭＢｐｓとするパラレルデータとされる。また、２ビット付加データＤＡＢ（２）は、２ビット構成のワードが連なる２ビットワード列データであって、そのワード伝送レートが、例えば、２７ＭＢｐｓに選定される。
【００３７】
３チャンネルのＤ１信号ＤＶＰ１〜ＤＶＰ３は、互いの間でビット同期はとられているが、水平同期及び垂直同期はとられていない状態でデータ多重部１１に供給され、また、２ビット付加データＤＡＢ（２）は、３チャンネルのＤ１信号ＤＶＰ１〜ＤＶＰ３の夫々とビット同期がとられた状態でデータ多重部１１に供給される。
【００３８】
データ多重部１１においては、３チャンネルのＤ１信号ＤＶＰ１〜ＤＶＰ３と２ビット付加データＤＡＢ（２）との組合せに多重化処理を施し、それにより、３チャンネルのＤ１信号ＤＶＰ１〜ＤＶＰ３と２ビット付加データＤＡＢ（２）との組合せに基づく１６ビットワード列データＤＵ（１６）を得る。斯かる際には、データ多重部１１に同時に供給される、３チャンネルのＤ１信号ＤＶＰ１〜ＤＶＰ３の夫々における各ワード（１０ビット）と２ビット付加データＤＡＢ（２）における各ワード（２ビット）との、合計１０×３＋２＝３２ビットが、順次１６ビットずつの２ワードに分割されることにより、ワード伝送レートを２７ＭＢｐｓ×３２／１６＝５４ＭＢｐｓとする１６ビットワード列データＤＵ（１６）が形成される。
【００３９】
この１６ビットワード列データＤＵ（１６）は、図２に示される如くに、例えば、Ｄ１信号ＤＶＰ１を基準にして、Ｄ１信号ＤＶＰ１の或るラインブランキング期間におけるタイミング基準コードデータＳＡＶの第１ワードを形成する１０ビットのうちの８ビットと、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第２ワードを形成する１０ビットのうちの８ビットと、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第３ワードを形成する１０ビットのうちの８ビットと、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットと、から成る１６ビットワード；  ・・・・・  が、順次連なるものとされる。図２において、ｔは経過時間をあらわす（以下において、同様）。
【００４０】
データ多重部１１から得られる１６ビットワード列データＤＵ（１６）は、８Ｂ／１０Ｂ変換・ワード列データ形成部１２に供給される。８Ｂ／１０Ｂ変換・ワード列データ形成部１２においては、先ず、データ多重部１１からの１６ビットワード列データＤＵ（１６）に、８Ｂ／１０Ｂ変換処理を施す。斯かる８Ｂ／１０Ｂ変換処理は、１６ビットワード列データＤＵ（１６）に対し、その各ワードを形成する１６ビットを８ビットずつの２個のビットグループに分割することによって、８ビットずつの区分を行い、区分された８ビットの夫々を、予め用意された変換テーブルに従って、１０ビットのデータに順次変換していくことにより行う。
【００４１】
続いて、８Ｂ／１０Ｂ変換・ワード列データ形成部１２においては、８Ｂ／１０Ｂ変換処理により順次得られる１０ビットのデータを２個ずつ重畳して導出し、ワード伝送レートを５４ＭＢｐｓとする、２０ビットワード列データＤＭ（２０）を形成する。
【００４２】
この２０ビットワード列データＤＭ（２０）は、図３に示される如くに、例えば、Ｄ１信号ＤＶＰ１を基準にして、Ｄ１信号ＤＶＰ１の或るラインブランキング期間におけるタイミング基準コードデータＳＡＶの第１ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  Ｄ１信号ＤＶＰ２の１０ビットワードのうちの残り４ビット及びＤ１信号ＤＶＰ３の１０ビットワードのうちの４ビットが、８Ｂ／１０Ｂ変換されて得られる１０ビットデータである“ＤＶＰ２の４ビット＋ＤＶＰ３の４ビットの１０Ｘ”と、Ｄ１信号ＤＶＰ３の１０ビットワードのうちの残り６ビット及び２ビット付加データＤＡＢ（２）の２ビットワードを形成する２ビットが、８Ｂ／１０Ｂ変換されて得られる１０ビットデータである“ＤＶＰ３の６ビット＋ＤＡＢ（２）の１０Ｘ”と、から成る２０ビットワード；  Ｄ１信号ＤＶＰ１におけるタイミング基準コードデータＳＡＶの第２ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  Ｄ１信号ＤＶＰ２の１０ビットワードのうちの残り４ビット及びＤ１信号ＤＶＰ３の１０ビットワードのうちの４ビットが、８Ｂ／１０Ｂ変換されて得られる１０ビットデータである“ＤＶＰ２の４ビット＋ＤＶＰ３の４ビットの１０Ｘ”と、Ｄ１信号ＤＶＰ３の１０ビットワードのうちの残り６ビット及び２ビット付加データＤＡＢ（２）の２ビットワードを形成する２ビットが、８Ｂ／１０Ｂ変換されて得られる１０ビットデータである“ＤＶＰ３の６ビット＋ＤＡＢ（２）の１０Ｘ”と、から成る２０ビットワード；  Ｄ１信号ＤＶＰ１におけるタイミング基準コードデータＳＡＶの第３ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  ・・・・・  が、順次連なるものとされる。
【００４３】
８Ｂ／１０Ｂ変換・ワード列データ形成部１２において形成された２０ビットワード列データＤＭ（２０）は、速度変換・データ挿入部１３に供給される。速度変換・データ挿入部１３には、２０ビットワード列データＤＭ（２０）に加えて、ワードデータ送出部１４から、１０ビットワードデータを形成するワード同期データを含んだ２個の２０ビットワードデータによって構成され、ワード伝送レートを、例えば、５４．０３１５ＭＢｐｓとする付加ワードデータグループＤＷＰが供給され、また、ワードデータ送出部１５から、１０ビットワードデータを形成するワード同期データを含んだ２個の２０ビットワードデータによって構成され、ワード伝送レートを、例えば、５４．０３１５ＭＢｐｓとする付加ワードデータグループＤＷＮが供給される。さらに、速度変換・データ挿入部１３には、Ｄ１信号ＤＶＰ１についての水平同期信号ＳＨ及び垂直同期信号ＳＶ，Ｄ１信号ＤＶＰ１のワードクロック信号に同期した、周波数を２７ＭＨｚとするクロックパルス信号ＣＡ、及び、周波数を５４．０３１５ＭＨｚとするクロックパルス信号ＣＢも供給される。
【００４４】
そして、速度変換・データ挿入部１３は、８Ｂ／１０Ｂ変換・ワード列データ形成部１２からの、ワード伝送レートを５４ＭＢｐｓとする２０ビットワード列データＤＭ（２０）に対して、そのワード伝送レートを５４ＭＢｐｓから、例えば、５４．０３１５ＭＢｐｓに変換する速度変換を施すとともに、２０ビットワード列データＤＭ（２０）におけるＤ１信号ＤＶＰ１の各ラインブランキング期間内におけるタイミング基準コードデータＳＡＶの直前に対応する部分に、ワードデータ送出部１４からの１０ビットワードデータを形成するワード同期データを含んだ２個の２０ビットワードデータから成る付加ワードデータグループＤＷＰ、もしくは、ワードデータ送出部１５からの１０ビットワードデータを形成するワード同期データを含んだ２個の２０ビットワードデータから成る付加ワードデータグループＤＷＮを挿入し、それにより、３チャンネルのＤ１信号ＤＶＰ１〜ＤＶＰ３と２ビット付加データＤＡＢ（２）との組合せに基づく、ワード伝送レートを５４．０３１５ＭＢｐｓとする複合２０ビットワード列データＤＺ（２０）を形成する。
【００４５】
ここで、複合２０ビットワード列データＤＺ（２０）のワード伝送レートが、５４．０３１５ＭＢｐｓとされるのは、以下の理由による。
【００４６】
Ｄ１信号は、その規格からして、１ライン期間分が１７１６サンプルのデータで構成される。また、１フレーム（２フィールド）期間は１／２９．９７秒であり、１フレーム期間は５２５ライン期間に相当するので、１ライン期間は、１／２９．９７×１／５２５＝６３．５５５．．．μ秒である。このようなもとで、３チャンネルのＤ１信号ＤＶＰ１〜ＤＶＰ３と２ビット付加データＤＡＢ（２）との組合せに多重化処理が施されて得られる１６ビットワード列データＤＵ（１６）に８Ｂ／１０Ｂ変換が施されて形成される２０ビットワード列データＤＭ（２０）の１ライン期間相当分に含まれる２０ビットワード数は、１７１６×４／２＝３４３２ワードである。複合２０ビットワード列データＤＺ（２０）は、２０ビットワード列データＤＭ（２０）の各ラインブランキング期間相当分に２個の２０ビットワードデータから成る付加ワードデータグループＤＷＰもしくはＤＷＮが加えられて形成されるので、複合２０ビットワード列データＤＺ（２０）の１ライン期間相当分に含まれる２０ビットワード数は、３４３２＋２＝３４３４ワードとなる。従って、複合２０ビットワード列データＤＺ（２０）のワード伝送レートは、３４３４／６３．５５５．．．≒５４．０３１５ＭＢｐｓとなる。
【００４７】
斯かるもとで、８Ｂ／１０Ｂ変換・ワード列データ形成部１２は、１６ビットワード列データＤＵ（１６）に８Ｂ／１０Ｂ変換処理を施すとともに、８Ｂ／１０Ｂ変換処理により順次得られる１０ビットワードデータに基づく２０ビットワード列データＤＭ（２０）を得るにあたり、その２０ビットワード列データＤＭ（２０）における、速度変換・データ挿入部１３において速度変換が施された後付加ワードデータグループＤＷＰもしくはＤＷＮが挿入される部分の直前に位置することになる２０ビットワードデータを形成し、付加ワードデータグループＤＷＰもしくはＤＷＮが連なることになる直前１０ビットワードデータが、そのＲＤを正（＋）とするものか負（−）とするものかをあらわすＲＤデータＤＲＤを送出して、そのＲＤデータＤＲＤを速度変換・データ挿入部１３に供給する。
【００４８】
それにより、速度変換・データ挿入部１３は、２０ビットワード列データＤＭ（２０）にワード伝送レートを５４ＭＢｐｓから５４．０３１５ＭＢｐｓに変換する速度変換を施して得た２０ビットワード列データに、付加ワードデータグループＤＷＰもしくはＤＷＮを挿入するにあたり、ＲＤデータＤＲＤが、直前１０ビットワードデータがＲＤを負（−）とするものであることをあらわすとき、ワードデータ送出部１４からの付加ワードデータグループＤＷＰを挿入し、また、ＲＤデータＤＲＤが、直前１０ビットワードデータがＲＤを正（＋）とするものであることをあらわすとき、ワードデータ送出部１５からの付加ワードデータグループＤＷＮを挿入する。
【００４９】
図４は、速度変換・データ挿入部１３についての具体構成例を示す。この図４に示される例においては、８Ｂ／１０Ｂ変換・ワード列データ形成部１２からの、ワード伝送レートを５４ＭＢｐｓとする２０ビットワード列データＤＭ（２０）が、スイッチ１６に供給される。スイッチ１６には、スイッチ制御信号形成部１７からの制御信号ＣＳＡも供給される。
【００５０】
スイッチ制御信号形成部１７には、Ｄ１信号ＤＶＰ１についての水平同期信号ＳＨ及び垂直同期信号ＳＶ，８Ｂ／１０Ｂ変換・ワード列データ形成部１２からのＲＤデータＤＲＤ及び周波数を５４．０３１５ＭＨｚとするクロックパルス信号ＣＢが供給される。そして、スイッチ制御信号形成部１７は、所定の期間毎、例えば、１ｍ秒間毎に状態変化を生じる制御信号ＣＳＡを形成し、さらに、水平同期信号ＳＨ及び垂直同期信号ＳＶに応じて、Ｄ１信号ＤＶＰ１のラインブランキング期間中のタイミング基準コードデータＳＡＶの直前の位置に同期した制御信号ＣＳＢ、及び、ＲＤデータＤＲＤの内容に応じた制御信号ＣＳＣを形成する。制御信号ＣＳＡは、例えば、１ｍ秒間毎に、高レベルと低レベルとを交互にとるものとされる。また、制御信号ＣＳＣは、例えば、ＲＤデータＤＲＤが直前１０ビットワードデータがＲＤを負（−）とするものであることをあらわすとき高レベルをとり、ＲＤデータＤＲＤが直前１０ビットワードデータがＲＤを正（＋）とするものであることをあらわすとき低レベルをとるものとされる。
【００５１】
スイッチ１６にはメモリ部１８とメモリ部１９とが接続されている。そして、スイッチ１６は、制御信号ＣＳＡに応じて、所定の期間毎、例えば、１ｍ秒間毎の切換えを行い、それにより、２０ビットワード列データＤＭ（２０）を、１ｍ秒間毎にメモリ部１８とメモリ部１９とに交互に供給して、２０ビットワード列データＤＭ（２０）についてのメモリ部１８とメモリ部１９とに対する振分供給を行う。
【００５２】
また、メモリ部１８とメモリ部１９とに関連して、メモリ制御信号形成部２０が設けられており、メモリ制御信号形成部２０には、周波数を２７ＭＨｚとするクロックパルス信号ＣＡと周波数を５４．０３１５ＭＨｚとするクロックパルス信号ＣＢとが供給される。そして、メモリ制御信号形成部２０は、クロックパルス信号ＣＡに基づいて、周波数を２７×２＝５４ＭＨｚとする書込制御信号ＱＷを発生するとともに、クロックパルス信号ＣＢに基づいて、周波数を５４．０３１５ＭＨｚとする読出制御信号ＱＲを発生し、書込制御信号ＱＷと読出制御信号ＱＲとをメモリ部１８及びメモリ部１９の両者に供給する。
【００５３】
それにより、メモリ部１８においては、スイッチ１６を通じて２０ビットワード列データＤＭ（２０）が供給される期間において、２０ビットワード列データＤＭ（２０）が、周波数を５４ＭＨｚとする書込制御信号ＱＷに応じて、ワード伝送レートを５４ＭＢｐｓとする状態で書き込まれる。また、メモリ部１９においても、スイッチ１６を通じて２０ビットワード列データＤＭ（２０）が供給される期間において、２０ビットワード列データＤＭ（２０）が、周波数を５４ＭＨｚとする書込制御信号ＱＷに応じて、ワード伝送レートを５４ＭＢｐｓとする状態で書き込まれる。従って、メモリ部１８及び１９における、２０ビットワード列データＤＭ（２０）についてのワード伝送レートを５４ＭＢｐｓとする状態での書込みが、スイッチ１６の１ｍ秒間毎の切換えに従って交互に行われる。
【００５４】
メモリ部１８に１ｍ秒間に亙って書き込まれた２０ビットワード列データＤＭ（２０）は、その次の１ｍ秒間のうちに、周波数を５４．０３１５ＭＨｚとする読出制御信号ＱＲに応じて、ワード伝送レートを５４．０３１５ＭＢｐｓとする２０ビットワード列データＤＺ’（２０）としてメモリ部１８から読み出され、スイッチ２１に供給される。また、メモリ部１９に１ｍ秒間に亙って書き込まれた２０ビットワード列データＤＭ（２０）も、その次の１ｍ秒間のうちに、周波数を５４．０３１５ＭＨｚとする読出制御信号ＱＲに応じて、ワード伝送レートを５４．０３１５ＭＢｐｓとする２０ビットワード列データＤＺ’（２０）としてメモリ部１９から読み出され、スイッチ２１に供給される。
【００５５】
スイッチ２１に関連して、スイッチ２２が設けられている。スイッチ２２には、ワードデータ送出部１４からの１０ビットワードデータを形成するワード同期データを含んだ２個の２０ビットワードから成る付加ワードデータグループＤＷＰと、ワードデータ送出部１５からの１０ビットワードデータを形成するワード同期データを含んだ２個の２０ビットワードから成る付加ワードデータグループＤＷＮとが供給され、さらに、スイッチ制御信号形成部１７からの制御信号ＣＳＣも供給される。
【００５６】
そして、スイッチ２２は、制御信号ＣＳＣが高レベルをとるとき、即ち、８Ｂ／１０Ｂ変換・ワード列データ形成部１２から送出されるＲＤデータＤＲＤが、直前１０ビットワードデータがＲＤを負（−）とするものであることをあらわすとき、ワードデータ送出部１４からの付加ワードデータグループＤＷＰを導出して、それをスイッチ２１に供給し、また、制御信号ＣＳＣが低レベルをとるとき、即ち、８Ｂ／１０Ｂ変換・ワード列データ形成部１２から送出されるＲＤデータＤＲＤが、直前１０ビットワードデータがＲＤを正（＋）とするものであることをあらわすとき、ワードデータ送出部１５からの付加ワードデータグループＤＷＮを導出して、それをスイッチ２１に供給する。
【００５７】
スイッチ２１には、スイッチ制御信号形成部１７からの制御信号ＣＳＡ及びＣＳＢも供給される。そして、スイッチ２１は、制御信号ＣＳＡ及びＣＳＢに応じて、メモリ部１８から２０ビットワード列データＤＺ' （２０）が読み出される期間において、先ず、Ｄ１信号ＤＶＰ１のラインブランキング期間内におけるタイミング基準コードデータＳＡＶの直前に対応するタイミングをもって、スイッチ２２から導出される、ワード伝送レートを５４．０３１５ＭＢｐｓとする２０ビットワード列データであるワードデータ送出部１４からの付加ワードデータグループＤＷＰもしくはワードデータ送出部１５からの付加ワードデータグループＤＷＮを取り出し、続いて、メモリ部１８から読み出されるワード伝送レートを５４．０３１５ＭＢｐｓとする２０ビットワード列データＤＺ' （２０）を取り出す動作を繰り返し、また、メモリ部１９から２０ビットワード列データＤＺ' （２０）が読み出される期間において、先ず、Ｄ１信号ＤＶＰ１のラインブランキング期間内におけるタイミング基準コードデータＳＡＶの直前に対応するタイミングをもって、スイッチ２２から導出される、ワード伝送レートを５４．０３１５ＭＢｐｓとする２０ビットワード列データであるワードデータ送出部１４からの付加ワードデータグループＤＷＰもしくはワードデータ送出部１５からの付加ワードデータグループＤＷＮを取り出し、続いて、メモリ部１９から読み出されるワード伝送レートを５４．０３１５ＭＢｐｓとする２０ビットワード列データＤＺ' （２０）を取り出す動作を繰り返す。
【００５８】
それにより、スイッチ２１から、２０ビットワード列データＤＭ（２０）にワード伝送レートを５４ＭＢｐｓから５４．０３１５ＭＢｐｓに変換する速度変換が施されて得られる２０ビットワード列データＤＺ' （２０）に、それにおけるＤ１信号ＤＶＰ１のラインブランキング期間内におけるタイミング基準コードデータＳＡＶの直前に対応する部分、従って、２０ビットワード列データＤＺ' （２０）における、Ｄ１信号ＤＶＰ１におけるタイミング基準コードデータＳＡＶの第１ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワードの直前の部分に、ワード伝送レートを５４．０３１５ＭＢｐｓとする付加ワードデータグループＤＷＰもしくは付加ワードデータグループＤＷＮが挿入されて形成される、複合２０ビットワード列データＤＺ（２０）が導出される。
【００５９】
ワードデータ送出部１４からのワード伝送レートを５４．０３１５ＭＢｐｓとする付加ワードデータグループＤＷＰは、予め定められたコードが与えられた１０ビットワード同期データを２０ビットワードデータを形成するものとして含んだ、２個の２０ビットワードデータによって構成されるが、その一例にあっては、Ｄ２１．３というコードネームで呼ばれる１０ビット補助ワードデータが２個重畳されて形成される２０ビットワードデータＤ２１．３：Ｄ２１．３に、１０ビットワード同期データである＋Ｋ２８．５とＤ２１．４というコードネームで呼ばれる１０ビット補助ワードデータとが重畳されて形成される２０ビットワードデータＫ２８．５：Ｄ２１．４が連って成るものとされる。
【００６０】
また、ワードデータ送出部１５からのワード伝送レートを５４．０３１５ＭＢｐｓとする付加ワードデータグループＤＷＮも、予め定められたコードが与えられた１０ビットワード同期データを２０ビットワードデータを形成するものとして含んだ、２個の２０ビットワードデータによって構成されるが、その一例にあっては、Ｄ２１．４とＤ２１．３とが重畳されて形成される２０ビットワードデータＤ２１．４：Ｄ２１．３に、１０ビットワード同期データである＋Ｋ２８．５とＤ２１．３とが重畳されて形成される２０ビットワードデータＫ２８．５：Ｄ２１．３が連って成るものとされる。
【００６１】
図５に示される如く、Ｄ２１．３は、その直前に配されたワードデータによるＲＤであるＣＲＤが負（−）であるときＲＤをニュートラルとする“１０１０１０１１００”とされ、その直前に配されたワードデータによるＲＤであるＣＲＤが正（＋）であるときＲＤをニュートラルとする“１０１０１０００１１”とされる。また、Ｄ２１．４は、その直前に配されたワードデータによるＲＤであるＣＲＤが負（−）であるときＲＤを正（＋）とする“１０１０１０１１０１”とされ、その直前に配されたワードデータによるＲＤであるＣＲＤが正（＋）であるときＲＤを負（−）とする“１０１０１０００１０”とされる。
【００６２】
上述の付加ワードデータグループＤＷＰの一例が挿入されて形成される複合２０ビットワード列データＤＺ（２０）は、その付加ワードデータグループＤＷＰが挿入された部分が、図６に示される如くに、２０ビットワードＤ２１．３（１０１０１０１１００）：Ｄ２１．３（１０１０１０１１００）と２０ビットワードＫ２８．５（００１１１１１０１０）：Ｄ２１．４（１０１０１０００１０）とで成る付加ワードデータグループＤＷＰが、Ｄ１信号ＤＶＰ１におけるタイミング基準コードデータＳＡＶの第１ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワードの直前の部分に配されて成り、ＲＤを正（＋）とする１０ビットワード同期データである＋Ｋ２８．５（００１１１１１０１０）を、２０ビットワードデータＫ２８．５（００１１１１１０１０）：Ｄ２１．４（１０１０１０００１０）を形成するものとして含むものとされる。
【００６３】
また、上述の付加ワードデータグループＤＷＮの一例が挿入されて形成される複合２０ビットワード列データＤＺ（２０）は、その付加ワードデータグループＤＷＮが挿入された部分が、図７に示される如くに、２０ビットワードＤ２１．４（１０１０１０００１０）：Ｄ２１．３（１０１０１０１１００）と２０ビットワードＫ２８．５（００１１１１１０１０）：Ｄ２１．３（１０１０１０００１１）とで成る付加ワードデータグループＤＷＮが、Ｄ１信号ＤＶＰ１におけるタイミング基準コードデータＳＡＶの第１ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワードの直前の部分に配されて成り、ＲＤを正（＋）とする１０ビットワード同期データである＋Ｋ２８．５（００１１１１１０１０）を、２０ビットワードデータＫ２８．５（００１１１１１０１０）：Ｄ２１．３（１０１０１０００１１）を形成するものとして含むものとされる。
【００６４】
なお、複合２０ビットワード列データＤＺ（２０）が、その付加ワードデータグループＤＷＰもしくはＤＷＮが挿入された部分を、図６もしくは図７に示される如くのものとする場合にあっては、付加ワードデータグループＤＷＰもしくはＤＷＮが、複合２０ビットワード列データＤＺ（２０）における付加ワードデータグループＤＷＰもしくはＤＷＮが挿入された部分において、ＲＤを正（＋）とする１０ビットワード同期データである＋Ｋ２８．５が含まれることになるものに選定されている。しかしながら、場合によっては、複合２０ビットワード列データＤＺ（２０）が、その付加ワードデータグループＤＷＰもしくはＤＷＮが挿入された部分において、ＲＤを負（−）とする１０ビットワード同期データである−Ｋ２８．５が含まれることになるものに選定されることもあり得る。
【００６５】
このようにして、速度変換・データ挿入部１３において形成される、ワード伝送レートを５４．０３１５ＭＢｐｓとする複合２０ビットワード列データＤＺ（２０）は、速度変換・データ挿入部１３から送出されて、Ｐ／Ｓ変換部２３に供給される。Ｐ／Ｓ変換部２３にあっては、複合２０ビットワード列データＤＺ（２０）にＰ／Ｓ変換を施して、複合２０ビットワード列データＤＺ（２０）に基づく、ビット伝送レートを５４．０３１５ＭＢｐｓ×２０＝１．０８ＧｂｐｓとするシリアルデータＤＺＳを形成し、そのシリアルデータＤＺＳを送信部２４に供給する。送信部２４は、シリアルデータＤＺＳを、例えば、オプティカル・ファイバーが用いられて形成されたデータ伝送路を通じて伝送すべく、オプティカル・ファイバーが用いられて形成されたデータ伝送路に適した光信号ＳＺとして送出する。それによって、シリアルデータＤＺＳの伝送が行われる。
【００６６】
上述の如くの図１に示されるデータ伝送装置にあっては、Ｐ／Ｓ変換部２３及び送信部２４が、ワード伝送レートを５４．０３１５ＭＢｐｓとする複合２０ビットワード列データＤＺ（２０）をビット伝送レートを１．０８ＧｂｐｓとするシリアルデータＤＺＳに変換して伝送すべく送出するデータ送出部を構成する。そして、斯かるデータ送出部を構成するＰ／Ｓ変換部２３及び送信部２４は、例えば、ファイバーチャンネル・システムのもとにおけるディジタル映像信号の送信用に提供されている集積回路（ＩＣ）素子を有効に利用して構成することができるものとされる。従って、伝送されるべきデータに基づいて、８Ｂ／１０Ｂ変換が施されるとともに、ワード同期データが付加された２０ビットワード列データが形成され、その２０ビットワード列データがシリアルデータに変換されて伝送されるべく送出される伝送方式をもって、ビット同期はとられているが、水平同期及び垂直同期がとられていない３チャンネルのＤ１信号ＤＶＰ１〜ＤＶＰ３の夫々と２ビット付加データＤＡＢ（２）とを、比較的容易に整えることができる手段により多重伝送することができることになる。
【００６７】
図８は、本願の特許請求の範囲における請求項１から請求項６まで及び請求項８から請求項１０までのいずれかに記載された発明に係るデータ伝送方法の一例が実施される、本願の特許請求の範囲における請求項１１または１２に記載された発明に係るデータ伝送装置の一例を示す。
【００６８】
図８に示される例にあっては、複数のディジタル映像信号である３チャンネルのＤ１信号ＤＶＰ１，ＤＶＰ２及びＤＶＰ３と、ビット付加信号である２ビット付加データＤＡＢ（２）が、データ多重部３１に供給される。３チャンネルのＤ１信号ＤＶＰ１〜ＤＶＰ３の夫々は、例えば、図１８に示される如くのデータ系列の態様をとる１０ビットワード列データを形成するディジタル信号であって、そのワード伝送レートを、例えば、２７ＭＢｐｓとするパラレルデータとされる。また、２ビット付加データＤＡＢ（２）は、２ビット構成のワードが連なる２ビットワード列データであって、そのワード伝送レートが、例えば、２７ＭＢｐｓに選定される。
【００６９】
３チャンネルのＤ１信号ＤＶＰ１〜ＤＶＰ３は、互いの間でビット同期はとられているが、水平同期及び垂直同期はとられていない状態でデータ多重部３１に供給され、また、２ビット付加データＤＡＢ（２）は、３チャンネルのＤ１信号ＤＶＰ１〜ＤＶＰ３の夫々とビット同期がとられた状態でデータ多重部３１に供給される。
【００７０】
データ多重部３１においては、３チャンネルのＤ１信号ＤＶＰ１〜ＤＶＰ３と２ビット付加データＤＡＢ（２）との組合せに多重化処理を施し、それにより、３チャンネルのＤ１信号ＤＶＰ１〜ＤＶＰ３と２ビット付加データＤＡＢ（２）との組合せに基づく１６ビットワード列データＤＵ（１６）を得る。斯かる際には、データ多重部３１に同時に供給される、３チャンネルのＤ１信号ＤＶＰ１〜ＤＶＰ３の夫々における各ワード（１０ビット）と２ビット付加データＤＡＢ（２）における各ワード（２ビット）との、合計１０×３＋２＝３２ビットが、順次１６ビットずつの２ワードに分割されることにより、ワード伝送レートを２７ＭＢｐｓ×３２／１６＝５４ＭＢｐｓとする１６ビットワード列データＤＵ（１６）が形成される。この１６ビットワード列データＤＵ（１６）も、図２に示される如くのものとされる。
【００７１】
データ多重部３１から得られる１６ビットワード列データＤＵ（１６）は、８Ｂ／１０Ｂ変換・ワード列データ形成部３２に供給される。８Ｂ／１０Ｂ変換・ワード列データ形成部３２においては、先ず、データ多重部３１からの１６ビットワード列データＤＵ（１６）に、８Ｂ／１０Ｂ変換処理を施す。斯かる８Ｂ／１０Ｂ変換処理は、１６ビットワード列データＤＵ（１６）に対し、その各ワードを形成する１６ビットを８ビットずつの２個のビットグループに分割することによって、８ビットずつの区分を行い、区分された８ビットの夫々を、予め用意された変換テーブルに従って、１０ビットのデータに順次変換していくことにより行う。
【００７２】
続いて、８Ｂ／１０Ｂ変換・ワード列データ形成部３２においては、８Ｂ／１０Ｂ変換処理により順次得られる１０ビットのデータを２個ずつ重畳して導出し、ワード伝送レートを５４ＭＢｐｓとする、２０ビットワード列データＤＭ（２０）を形成する。この２０ビットワード列データＤＭ（２０）も、図３に示される如くのものとされる。
【００７３】
８Ｂ／１０Ｂ変換・ワード列データ形成部３２において形成された２０ビットワード列データＤＭ（２０）は、速度変換・データ挿入部３３に供給される。速度変換・データ挿入部３３には、２０ビットワード列データＤＭ（２０）に加えて、ワードデータ送出部３４から、１０ビットワードデータを形成するワード同期データを含んだ２個の２０ビットワードデータによって構成され、ワード伝送レートを、例えば、５４．０３１５ＭＢｐｓとする付加ワードデータグループＤＷＳが供給される。さらに、速度変換・データ挿入部３３には、Ｄ１信号ＤＶＰ１についての水平同期信号ＳＨ及び垂直同期信号ＳＶ，Ｄ１信号ＤＶＰ１のワードクロック信号に同期した、周波数を２７ＭＨｚとするクロックパルス信号ＣＡ、及び、周波数を５４．０３１５ＭＨｚとするクロックパルス信号ＣＢも供給される。
【００７４】
そして、速度変換・データ挿入部３３は、８Ｂ／１０Ｂ変換・ワード列データ形成部３２からの、ワード伝送レートを５４ＭＢｐｓとする２０ビットワード列データＤＭ（２０）に対して、そのワード伝送レートを５４ＭＢｐｓから、例えば、５４．０３１５ＭＢｐｓに変換する速度変換を施すとともに、２０ビットワード列データＤＭ（２０）におけるＤ１信号ＤＶＰ１の各ラインブランキング期間内におけるタイミング基準コードデータＳＡＶの直前に対応する部分に、ワードデータ送出部３４からの１０ビットワードデータを形成するワード同期データを含んだ２個の２０ビットワードデータから成る付加ワードデータグループＤＷＳを挿入し、それにより、３チャンネルのＤ１信号ＤＶＰ１〜ＤＶＰ３と２ビット付加データＤＡＢ（２）との組合せに基づく、ワード伝送レートを５４．０３１５ＭＢｐｓとする複合２０ビットワード列データＤＺ（２０）を形成する。
【００７５】
ここで、複合２０ビットワード列データＤＺ（２０）のワード伝送レートが、５４．０３１５ＭＢｐｓとされるのは、前述の、図１に示される例における速度変換・データ挿入部１３から得られる複合２０ビットワード列データＤＺ（２０）の場合と同様の理由による。
【００７６】
図９は、速度変換・データ挿入部３３についての具体構成例を示す。この図９に示される例においては、８Ｂ／１０Ｂ変換・ワード列データ形成部３２からの、ワード伝送レートを５４ＭＢｐｓとする２０ビットワード列データＤＭ（２０）が、スイッチ３５に供給される。スイッチ３５には、スイッチ制御信号形成部３６からの制御信号ＣＳＡも供給される。
【００７７】
スイッチ制御信号形成部３６には、Ｄ１信号ＤＶＰ１についての水平同期信号ＳＨ及び垂直同期信号ＳＶと周波数を５４．０３１５ＭＨｚとするクロックパルス信号ＣＢとが供給される。そして、スイッチ制御信号形成部３６は、所定の期間毎、例えば、１ｍ秒間毎に状態変化を生じる制御信号ＣＳＡを形成し、さらに、水平同期信号ＳＨ及び垂直同期信号ＳＶに応じて、Ｄ１信号ＤＶＰ１のラインブランキング期間中のタイミング基準コードデータＳＡＶの直前の位置に同期した制御信号ＣＳＢを形成する。制御信号ＣＳＡは、例えば、１ｍ秒間毎に、高レベルと低レベルとを交互にとるものとされる。
【００７８】
スイッチ３５にはメモリ部３７とメモリ部３８とが接続されている。そして、スイッチ３５は、制御信号ＣＳＡに応じて、所定の期間毎、例えば、１ｍ秒間毎の切換えを行い、それにより、２０ビットワード列データＤＭ（２０）を、１ｍ秒間毎にメモリ部３７とメモリ部３８とに交互に供給して、２０ビットワード列データＤＭ（２０）についてのメモリ部３７とメモリ部３８とに対する振分供給を行う。
【００７９】
また、メモリ部３７とメモリ部３８とに関連して、メモリ制御信号形成部３９が設けられており、メモリ制御信号形成部３９には、周波数を２７ＭＨｚとするクロックパルス信号ＣＡと周波数を５４．０３１５ＭＨｚとするクロックパルス信号ＣＢとが供給される。そして、メモリ制御信号形成部３９は、クロックパルス信号ＣＡに基づいて、周波数を２７×２＝５４ＭＨｚとする書込制御信号ＱＷを発生するとともに、クロックパルス信号ＣＢに基づいて、周波数を５４．０３１５ＭＨｚとする読出制御信号ＱＲを発生し、書込制御信号ＱＷと読出制御信号ＱＲとをメモリ部３７及びメモリ部３８の両者に供給する。
【００８０】
それにより、メモリ部３７においては、スイッチ３５を通じて２０ビットワード列データＤＭ（２０）が供給される期間において、２０ビットワード列データＤＭ（２０）が、周波数を５４ＭＨｚとする書込制御信号ＱＷに応じて、ワード伝送レートを５４ＭＢｐｓとする状態で書き込まれる。また、メモリ部３８においても、スイッチ３５を通じて２０ビットワード列データＤＭ（２０）が供給される期間において、２０ビットワード列データＤＭ（２０）が、周波数を５４ＭＨｚとする書込制御信号ＱＷに応じて、ワード伝送レートを５４ＭＢｐｓとする状態で書き込まれる。従って、メモリ部３７及び３８における、２０ビットワード列データＤＭ（２０）についてのワード伝送レートを５４ＭＢｐｓとする状態での書込みが、スイッチ３５の１ｍ秒間毎の切換えに従って交互に行われる。
【００８１】
メモリ部３７に１ｍ秒間に亙って書き込まれた２０ビットワード列データＤＭ（２０）は、その次の１ｍ秒間のうちに、周波数を５４．０３１５ＭＨｚとする読出制御信号ＱＲに応じて、ワード伝送レートを５４．０３１５ＭＢｐｓとする２０ビットワード列データＤＺ’（２０）としてメモリ部１８から読み出され、スイッチ４０に供給される。また、メモリ部３８に１ｍ秒間に亙って書き込まれた２０ビットワード列データＤＭ（２０）も、その次の１ｍ秒間のうちに、周波数を５４．０３１５ＭＨｚとする読出制御信号ＱＲに応じて、ワード伝送レートを５４．０３１５ＭＢｐｓとする２０ビットワード列データＤＺ’（２０）としてメモリ部３８から読み出され、スイッチ４０に供給される。
【００８２】
スイッチ４０には、ワードデータ送出部３４からのワード伝送レートを５４．０３１５ＭＢｐｓとする２０ビットワード列データである付加ワードデータグループＤＷＳも供給され、さらに、スイッチ制御信号形成部３６からの制御信号ＣＳＡ及びＣＳＢも供給される。そして、スイッチ４０は、制御信号ＣＳＡ及びＣＳＢに応じて、メモリ部３７から２０ビットワード列データＤＺ' （２０）が読み出される期間において、先ず、Ｄ１信号ＤＶＰ１のラインブランキング期間内におけるタイミング基準コードデータＳＡＶの直前に対応するタイミングをもって、ワードデータ送出部３４からのワード伝送レートを５４．０３１５ＭＢｐｓとする２０ビットワード列データである付加ワードデータグループＤＷＳを取り出し、続いて、メモリ部３７から読み出されるワード伝送レートを５４．０３１５ＭＢｐｓとする２０ビットワード列データＤＺ' （２０）を取り出す動作を繰り返し、また、メモリ部３８から２０ビットワード列データＤＺ' （２０）が読み出される期間において、先ず、Ｄ１信号ＤＶＰ１のラインブランキング期間内におけるタイミング基準コードデータＳＡＶの直前に対応するタイミングをもって、ワードデータ送出部３４からのワード伝送レートを５４．０３１５ＭＢｐｓとする２０ビットワード列データである付加ワードデータグループＤＷＳを取り出し、続いて、メモリ部３８から読み出されるワード伝送レートを５４．０３１５ＭＢｐｓとする２０ビットワード列データＤＺ' （２０）を取り出す動作を繰り返す。
【００８３】
それにより、スイッチ４０から、２０ビットワード列データＤＭ（２０）にワード伝送レートを５４ＭＢｐｓから５４．０３１５ＭＢｐｓに変換する速度変換が施されて得られる２０ビットワード列データＤＺ' （２０）に、それにおけるＤ１信号ＤＶＰ１のラインブランキング期間内におけるタイミング基準コードデータＳＡＶの直前に対応する部分、従って、２０ビットワード列データＤＺ' （２０）における、Ｄ１信号ＤＶＰ１におけるタイミング基準コードデータＳＡＶの第１ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワードの直前の部分に、ワード伝送レートを５４．０３１５ＭＢｐｓとする付加ワードデータグループＤＷＳが挿入されて形成される、複合２０ビットワード列データＤＺ（２０）が導出される。
【００８４】
ワードデータ送出部３４からのワード伝送レートを５４．０３１５ＭＢｐｓとする付加ワードデータグループＤＷＳは、予め定められたコードが与えられた１０ビットワード同期データを２０ビットワードデータを形成するものとして含んだ、２個の２０ビットワードデータによって構成されるが、その一例にあっては、１０ビットワード同期データである＋Ｋ２８．５と任意の１０ビットワードデータＤＸＸ・Ｘとが重畳されて形成される２０ビットワードデータＫ２８．５：ＤＸＸ・Ｘに、任意の１０ビットワードデータＤＸＸ・Ｘが２個重畳されて形成される２０ビットワードデータＤＸＸ・Ｘ：ＤＸＸ・Ｘが連って成るものとされる。
【００８５】
このような付加ワードデータグループＤＷＳの一例が挿入されて形成される複合２０ビットワード列データＤＺ（２０）は、その付加ワードデータグループＤＷＳが挿入された部分が、図１０に示される如くに、２０ビットワードＫ２８．５（００１１１１１０１０）：ＤＸＸ・Ｘ（ｘｘｘｘｘｘｘｘｘｘ）と２０ビットワードＤＸＸ・Ｘ（ｘｘｘｘｘｘｘｘｘｘ）：ＤＸＸ・Ｘ（ｘｘｘｘｘｘｘｘｘｘ）とで成る付加ワードデータグループＤＷＳが、Ｄ１信号ＤＶＰ１におけるタイミング基準コードデータＳＡＶの第１ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワードの直前の部分に配されて成り、１０ビットワード同期データである＋Ｋ２８．５（００１１１１１０１０）を、２０ビットワードデータＫ２８．５（００１１１１１０１０）：ＤＸＸ・Ｘ（ｘｘｘｘｘｘｘｘｘｘ）を形成するものとして含むものとされる。
【００８６】
なお、複合２０ビットワード列データＤＺ（２０）が、その付加ワードデータグループＤＷＳが挿入された部分を、図１０に示される如くのものとする場合にあっては、付加ワードデータグループＤＷＳが、複合２０ビットワード列データＤＺ（２０）における付加ワードデータグループＤＷＳが挿入された部分において、ＲＤを正（＋）とする１０ビットワード同期データである＋Ｋ２８．５が含まれることになるものに選定されている。しかしながら、場合によっては、複合２０ビットワード列データＤＺ（２０）が、その付加ワードデータグループＤＷＳが挿入された部分において、ＲＤを負（−）とする１０ビットワード同期データである−Ｋ２８．５が含まれることになるものに選定されることもあり得る。
【００８７】
このようにして、速度変換・データ挿入部３３において形成される、ワード伝送レートを５４．０３１５ＭＢｐｓとする複合２０ビットワード列データＤＺ（２０）は、速度変換・データ挿入部３３から送出されて、Ｐ／Ｓ変換部４２に供給される。Ｐ／Ｓ変換部４２にあっては、複合２０ビットワード列データＤＺ（２０）にＰ／Ｓ変換を施して、複合２０ビットワード列データＤＺ（２０）に基づく、ビット伝送レートを５４．０３１５ＭＢｐｓ×２０＝１．０８ＧｂｐｓとするシリアルデータＤＺＳを形成し、そのシリアルデータＤＺＳを送信部４３に供給する。送信部４３は、シリアルデータＤＺＳを、例えば、オプティカル・ファイバーが用いられて形成されたデータ伝送路を通じて伝送すべく、オプティカル・ファイバーが用いられて形成されたデータ伝送路に適した光信号ＳＺとして送出する。それによって、シリアルデータＤＺＳの伝送が行われる。
【００８８】
上述の如くの図８に示されるデータ伝送装置にあっても、Ｐ／Ｓ変換部４２及び送信部４３が、ワード伝送レートを５４．０３１５ＭＢｐｓとする複合２０ビットワード列データＤＺ（２０）をビット伝送レートを１．０８ＧｂｐｓとするシリアルデータＤＺＳに変換して伝送すべく送出するデータ送出部を構成する。そして、斯かるデータ送出部を構成するＰ／Ｓ変換部４２及び送信部４３は、例えば、ファイバーチャンネル・システムのもとにおけるディジタル映像信号の送信用に提供されている集積回路（ＩＣ）素子を有効に利用して構成することができるものとされる。従って、伝送されるべきデータに基づいて、８Ｂ／１０Ｂ変換が施されるとともに、ワード同期データが付加された２０ビットワード列データが形成され、その２０ビットワード列データがシリアルデータに変換されて伝送されるべく送出される伝送方式をもって、ビット同期はとられているが、水平同期及び垂直同期がとられていない３チャンネルのＤ１信号ＤＶＰ１〜ＤＶＰ３の夫々と２ビット付加データＤＡＢ（２）とを、比較的容易に整えることができる手段により多重伝送することができることになる。
【００８９】
図１１は、本願の特許請求の範囲における請求項１から請求項１０までのいずれかに記載された発明に係るデータ伝送方法の一例に従って図１に示されるデータ伝送装置における送信部２４から送出される、複合２０ビットワード列データＤＺ（２０）が変換されて得られたシリアルデータＤＺＳに基づく光信号ＳＺを受信する、本願の特許請求の範囲における請求項１４に記載された発明に係るデータ受信方法の一例が実施される本願の特許請求の範囲における請求項１５に記載された発明に係るデータ受信装置の一例を示す。
【００９０】
この図１１に示されるデータ受信装置の例にあっては、例えば、オプティカル・ファイバーが用いられて形成されたデータ伝送路を通じて伝送された光信号ＳＺを受信する受信部４５が備えられている。受信部４５は、光信号ＳＺを受信するとき、受信された光信号ＳＺに基づくシリアルデータＤＺＳを再生し、再生されたシリアルデータＤＺＳを同期データ検出・Ｓ／Ｐ変換部４６に供給する。
【００９１】
同期データ検出・Ｓ／Ｐ変換部４６にあっては、シリアルデータＤＺＳにおける、２０ビットワードデータＫ２８．５：Ｄ２１．４、もしくは、Ｋ２８．５：Ｄ２１．３を形成する＋Ｋ２８．５（もしくは−Ｋ２８．５）がシリアルデータに変換された部分を、同期データとして検出し、検出された同期データに基づくワード同期をとって、シリアルデータＤＺＳにＳ／Ｐ変換を施し、図１２のＡもしくは図１３のＡに示される如くの、例えば、ワード伝送レートを５４．０３１５ＭＢｐｓとするパラレルデータである複合２０ビットワード列データＤＺ（２０）を形成する。図１２のＡもしくは図１３のＡに示される複合２０ビットワード列データＤＺ（２０）は、付加ワードデータグループＤＷＰもしくはＤＷＮの内容に応じて選択的に形成される。そして、同期データ検出・Ｓ／Ｐ変換部４６から得られる複合２０ビットワード列データＤＺ（２０）は、ワードデータ分離・速度変換部４８に供給される。
【００９２】
また、同期データ検出・Ｓ／Ｐ変換部４６においては、複合２０ビットワード列データＤＺ（２０）における付加ワードデータグループＤＷＰもしくはＤＷＮ中の＋Ｋ２８．５（もしくは−Ｋ２８．５）を含んだ２０ビットワードデータＫ２８．５：Ｄ２１．４、もしくは、Ｋ２８．５：Ｄ２１．３を検出して、Ｋ２８．５検出出力信号ＳＷＳを送出する。このＫ２８．５検出出力信号ＳＷＳは、複合２０ビットワード列データＤＺ（２０）における付加ワードデータグループＤＷＰもしくはＤＷＮの内容に応じて、例えば、図１２のＢもしくは図１３のＢに示される如くに得られる。このようにして、同期データ検出・Ｓ／Ｐ変換部４６から得られるＫ２８．５検出出力信号ＳＷＳは、制御信号形成部４７に供給される。制御信号形成部４７においては、Ｋ２８．５検出出力信号ＳＷＳに基づく同期制御信号ＣＷが形成される。
【００９３】
同期データ検出・Ｓ／Ｐ変換部４６からの複合２０ビットワード列データＤＺ（２０）が供給されるワードデータ分離・速度変換部４８には、制御信号形成部４７からの同期制御信号ＣＷも供給される。そして、ワードデータ分離・速度変換部４８においては、同期制御信号ＣＷに応じて、複合２０ビットワード列データＤＺ（２０）から、ワード伝送レートを５４．０３１５ＭＢｐｓとする付加ワードデータグループＤＷＰもしくはＤＷＮと、ワード伝送レートを５４．０３１５ＭＢｐｓとする２０ビットワード列データＤＭ（２０）とが互いに分離されて取り出される。
【００９４】
さらに、ワードデータ分離・速度変換部４８にあっては、取り出された２０ビットワード列データＤＭ（２０）に、そのワード伝送レートを５４．０３１５ＭＢｐｓから５４ＭＢｐｓに変換する速度変換を施して、ワード伝送レートを５４ＭＢｐｓとする２０ビットワード列データＤＭ（２０）を形成する。それにより、ワードデータ分離・速度変換部４８からは、ワード伝送レートを５４．０３１５ＭＢｐｓとする付加ワードデータグループＤＷＰもしくはＤＷＮと、ワード伝送レートを５４ＭＢｐｓとする２０ビットワード列データＤＭ（２０）とが送出され、２０ビットワード列データＤＭ（２０）は、１０Ｂ／８Ｂ変換・１６ビットワード列データ形成部４９に供給される。
【００９５】
１０Ｂ／８Ｂ変換・１６ビットワード列データ形成部４９には、制御信号形成部４７からの同期制御信号ＣＷも供給される。そして、１０Ｂ／８Ｂ変換・１６ビットワード列データ形成部４９においては、先ず、同期制御信号ＣＷによる同期制御が行われるもとで、２０ビットワード列データＤＭ（２０）に、１０Ｂ／８Ｂ変換処理が施される。斯かる１０Ｂ／８Ｂ変換処理は、２０ビットワード列データＤＭ（２０）に対し、その各ワードを形成する２０ビットを１０ビットずつの２個のビットグループに分割することによって、１０ビットずつの区分を行い、区分された１０ビットの夫々を、予め用意された変換テーブルに従って、８ビットのデータに順次変換していくことにより行う。続いて、１０Ｂ／８Ｂ変換・１６ビットワード列データ形成部４９においては、１０Ｂ／８Ｂ変換処理により順次得られる８ビットのデータを２個ずつ重畳して導出し、ワード伝送レートを５４ＭＢｐｓとする、１６ビットワード列データＤＵ（１６）を形成する。
【００９６】
１０Ｂ／８Ｂ変換・１６ビットワード列データ形成部４９から得られる１６ビットワード列データＤＵ（１６) は、データ分離部５０に供給される。
【００９７】
データ分離部５０においては、ワード伝送レートを５４ＭＢｐｓとする１６ビットワード列データＤＵ（１６) の連続する２ワードを形成する３２ビットが、３グループの１０ビットと２ビットとに区分けされ、区分けされた３グループの１０ビットと２ビットとの夫々が個別に導出される状態が継続される。その結果、１６ビットワード列データＤＵ（１６) に基づく、各々がワード伝送レートを５４ＭＢｐｓ／２＝２７ＭＢｐｓとする１０ビットワード列データを形成する３チャンネルのパラレルデータと、ワード伝送レートを５４ＭＢｐｓ／２＝２７ＭＢｐｓとするビット付加信号とされる、３チャンネルのＤ１信号ＤＶＰ１，ＤＶＰ２及びＤＶＰ３と２ビット付加データＤＡＢ（２）とが、互いに分離されて形成される。それにより、データ分離部５０から、再生された３チャンネルのＤ１信号ＤＶＰ１，ＤＶＰ２及びＤＶＰ３と２ビット付加データＤＡＢ（２）とが導出される。
【００９８】
このようにして、各々がワード伝送レートを２７ＭＢｐｓとする３チャンネルのＤ１信号ＤＶＰ１〜ＤＶＰ３と２ビット付加データＤＡＢ（２）との夫々が再生されることになる。
【００９９】
図１４は、本願の特許請求の範囲における請求項１から請求項６まで及び請求項８から請求項１０までのいずれかに記載された発明に係るデータ伝送方法の他の例に従って図８に示されるデータ伝送装置における送信部４３から送出される、複合２０ビットワード列データＤＺ（２０）が変換されて得られたシリアルデータＤＺＳに基づく光信号ＳＺを受信する、本願の特許請求の範囲における請求項１４に記載された発明に係るデータ受信方法の他の例が実施される本願の特許請求の範囲における請求項１５に記載された発明に係るデータ受信装置の他の例を示す。
【０１００】
この図１４に示されるデータ受信装置の例にあっては、例えば、オプティカル・ファイバーが用いられて形成されたデータ伝送路を通じて伝送された光信号ＳＺを受信する受信部５１が備えられている。受信部５１は、光信号ＳＺを受信するとき、受信された光信号ＳＺに基づくシリアルデータＤＺＳを再生し、再生されたシリアルデータＤＺＳを同期データ検出・Ｓ／Ｐ変換部５２に供給する。
【０１０１】
同期データ検出・Ｓ／Ｐ変換部５２にあっては、シリアルデータＤＺＳにおける、２０ビットワードデータＫ２８．５：ＤＸＸ．Ｘを形成する＋Ｋ２８．５（もしくは−Ｋ２８．５）がシリアルデータに変換された部分を、同期データとして検出し、検出された同期データに基づくワード同期をとって、シリアルデータＤＺＳにＳ／Ｐ変換を施し、図１５のＡに示される如くの、例えば、ワード伝送レートを５４．０３１５ＭＢｐｓとするパラレルデータである複合２０ビットワード列データＤＺ（２０）を形成する。そして、同期データ検出・Ｓ／Ｐ変換部５２から得られる複合２０ビットワード列データＤＺ（２０）は、ワードデータ分離・速度変換部５４に供給される。
【０１０２】
また、同期データ検出・Ｓ／Ｐ変換部５２においては、複合２０ビットワード列データＤＺ（２０）における付加ワードデータグループＤＷＳ中の＋Ｋ２８．５（もしくは−Ｋ２８．５）を含んだ２０ビットワードデータＫ２８．５：ＤＸＸ．Ｘを検出して、Ｋ２８．５検出出力信号ＳＷＳを送出する。このＫ２８．５検出出力信号ＳＷＳは、複合２０ビットワード列データＤＺ（２０）における付加ワードデータグループＤＷＳの内容に応じて、例えば、図１５のＢに示される如くに得られる。このようにして、同期データ検出・Ｓ／Ｐ変換部５２から得られるＫ２８．５検出出力信号ＳＷＳは、制御信号形成部５３に供給される。制御信号形成部５３においては、Ｋ２８．５検出出力信号ＳＷＳに基づく同期制御信号ＣＷが形成される。
【０１０３】
同期データ検出・Ｓ／Ｐ変換部５２からの複合２０ビットワード列データＤＺ（２０）が供給されるワードデータ分離・速度変換部５４には、制御信号形成部５３からの同期制御信号ＣＷも供給される。そして、ワードデータ分離・速度変換部５４においては、同期制御信号ＣＷに応じて、複合２０ビットワード列データＤＺ（２０）から、ワード伝送レートを５４．０３１５ＭＢｐｓとする付加ワードデータグループＤＷＳと、ワード伝送レートを５４．０３１５ＭＢｐｓとする２０ビットワード列データＤＭ（２０）とが互いに分離されて取り出される。
【０１０４】
さらに、ワードデータ分離・速度変換部５４にあっては、取り出された２０ビットワード列データＤＭ（２０）に、そのワード伝送レートを５４．０３１５ＭＢｐｓから５４ＭＢｐｓに変換する速度変換を施して、ワード伝送レートを５４ＭＢｐｓとする２０ビットワード列データＤＭ（２０）を形成する。それにより、ワードデータ分離・速度変換部５４からは、ワード伝送レートを５４．０３１５ＭＢｐｓとする付加ワードデータグループＤＷＳと、ワード伝送レートを５４ＭＢｐｓとする２０ビットワード列データＤＭ（２０）とが送出され、２０ビットワード列データＤＭ（２０）は、１０Ｂ／８Ｂ変換・１６ビットワード列データ形成部５５に供給される。
【０１０５】
１０Ｂ／８Ｂ変換・１６ビットワード列データ形成部５５には、制御信号形成部５３からの同期制御信号ＣＷも供給される。そして、１０Ｂ／８Ｂ変換・１６ビットワード列データ形成部５５においては、先ず、同期制御信号ＣＷによる同期制御が行われるもとで、２０ビットワード列データＤＭ（２０）に、１０Ｂ／８Ｂ変換処理が施される。斯かる１０Ｂ／８Ｂ変換処理は、２０ビットワード列データＤＭ（２０）に対し、その各ワードを形成する２０ビットを１０ビットずつの２個のビットグループに分割することによって、１０ビットずつの区分を行い、区分された１０ビットの夫々を、予め用意された変換テーブルに従って、８ビットのデータに順次変換していくことにより行う。続いて、１０Ｂ／８Ｂ変換・１６ビットワード列データ形成部５５においては、１０Ｂ／８Ｂ変換処理により順次得られる８ビットのデータを２個ずつ重畳して導出し、ワード伝送レートを５４ＭＢｐｓとする、１６ビットワード列データＤＵ（１６）を形成する。
【０１０６】
１０Ｂ／８Ｂ変換・１６ビットワード列データ形成部５５から得られる１６ビットワード列データＤＵ（１６) は、データ分離部５６に供給される。
【０１０７】
データ分離部５６においては、ワード伝送レートを５４ＭＢｐｓとする１６ビットワード列データＤＵ（１６) の連続する２ワードを形成する３２ビットが、３グループの１０ビットと２ビットとに区分けされ、区分けされた３グループの１０ビットと２ビットとの夫々が個別に導出される状態が継続される。その結果、１６ビットワード列データＤＵ（１６) に基づく、各々がワード伝送レートを５４ＭＢｐｓ／２＝２７ＭＢｐｓとする１０ビットワード列データを形成する３チャンネルのパラレルデータと、ワード伝送レートを５４ＭＢｐｓ／２＝２７ＭＢｐｓとするビット付加信号とされる、３チャンネルのＤ１信号ＤＶＰ１，ＤＶＰ２及びＤＶＰ３と２ビット付加データＤＡＢ（２）とが、互いに分離されて形成される。それにより、データ分離部５６から、再生された３チャンネルのＤ１信号ＤＶＰ１，ＤＶＰ２及びＤＶＰ３と２ビット付加データＤＡＢ（２）とが導出される。
【０１０８】
このようにして、各々がワード伝送レートを２７ＭＢｐｓとする３チャンネルのＤ１信号ＤＶＰ１〜ＤＶＰ３と２ビット付加データＤＡＢ（２）との夫々が再生されることになる。
【０１０９】
上述の本願の特許請求の範囲における請求項１から請求項１０までのいずれかに記載された発明に係るデータ伝送方法の一例、もしくは、本願の特許請求の範囲における請求項１から請求項６まで及び請求項８から請求項１０までのいずれかに記載された発明に係るデータ伝送方法の一例にあっては、図１に示される、本願の特許請求の範囲における請求項１１から請求項１３までのいずれかに記載されたデータ伝送装置の一例におけるデータ多重部１１、もしくは、図８に示される、本願の特許請求の範囲における請求項１１または請求項１２のいずれかに記載されたデータ伝送装置の一例におけるデータ多重部３１に供給されるディジタル映像信号、即ち、伝送されるべきディジタル映像信号が、ビット同期がとられているが、水平同期及び垂直同期はとられていない３チャンネルのＤ１信号とされ、しかも、２ビット付加データＤＡＢ（２）と組み合わされるものとなされている。しかしながら、本願の特許請求の範囲における請求項１から請求項１０までのいずれかに記載された発明に係るデータ伝送方法及び本願の特許請求の範囲における請求項１１から請求項１３までのいずれかに記載された発明に係るデータ伝送装置にあっては、伝送されるべきディジタル映像信号は、Ｄ１信号に限られる必要はなく、例えば、Ｄ２信号あるいはＳＤＴＩ信号等のＤ１信号以外のディジタル映像信号であってよく、また、２ビット付加データＤＡＢ（２）等のビット付加信号との組合せは、必ずしも必要とはされない。さらに、伝送されるべきディジタル映像信号のチャンネル数も、３チャンネルに限られる必要はなく、任意のチャンネル数となすことができる。
【０１１０】
【発明の効果】
以上の説明から明らかな如く、本願の特許請求の範囲における請求項１から請求項１０までのいずれかに記載された発明に係るデータ伝送方法、及び、本願の特許請求の範囲における請求項１４に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成され、シリアルデータに変換されて送出される複合ワード列データには、それにおける複数のディジタル映像信号のうちの一つについての特定の位置に対応する部分に、ワード同期データを含んだ付加ワードデータグループが挿入されていることになる。
【０１１１】
そして、複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１４に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【０１１２】
特に、本願の特許請求の範囲における請求項１から請求項１０までのいずれかに記載された発明に係るデータ伝送方法によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、複数のＤ１信号，Ｄ２信号，ＳＤＴＩ信号等とされる、複数のディジタル映像信号を、比較的容易に整えることができる手段により伝送することができることになる。
【０１１３】
また、本願の特許請求の範囲における請求項１１から請求項１３までのいずれかに記載された発明に係るデータ伝送装置、及び、本願の特許請求の範囲における請求項１５に記載された発明に係るデータ受信装置によれば、送信側においては、データ送出手段によりシリアルデータに変換されて送出される、例えば、複数のＤ１信号，Ｄ２信号，ＳＤＴＩ信号等とされる複数のディジタル映像信号、もしくは、斯かる複数のディジタル映像信号とビット付加信号との組合せに基づき、８Ｂ／１０Ｂ変換処理及び付加ワードデータグループ挿入処理を経て形成される複合ワード列データには、ＲＤを予め定められた正もしくは負とするワード同期データが含まれていることになる。
【０１１４】
そして、複合ワード列データが変換されたシリアルデータを受ける受信側において、シリアルデータに変換されて伝送された複合ワード列データ中のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれるワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１５に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【０１１５】
特に、本願の特許請求の範囲における請求項１１から請求項１３までのいずれかに記載された発明に係るデータ伝送装置によれば、ワード同期データを含んだ付加ワードデータグループが挿入された複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタル映像信号の送信及び受信に用いられる伝送回路ディバイスを利用して行うことができる。従って、伝送されるべきデータに基づいて、８Ｂ／１０Ｂ変換処理が施されるとともにワード同期データを含むものとされたワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができることになる。
【図面の簡単な説明】
【図１】  本願の特許請求の範囲における請求項１から請求項１０までのいずれかに記載された発明に係るデータ伝送方法の一例が実施される、本願の特許請求の範囲における請求項１１から請求項１３までのいずれかに記載された発明に係るデータ伝送装置の一例を示すブロック構成図である。
【図２】  本願の特許請求の範囲における請求項１から請求項１０までのいずれかに記載された発明に係るデータ伝送方法の一例の説明に供されるタイムチャートである。
【図３】  本願の特許請求の範囲における請求項１から請求項１０までのいずれかに記載された発明に係るデータ伝送方法の一例の説明に供されるタイムチャートである。
【図４】  図１に示されるデータ伝送装置における速度変換・データ挿入部の具体構成例を示すブロック構成図である。
【図５】  本願の特許請求の範囲における請求項１から請求項１０までのいずれかに記載された発明に係るデータ伝送方法の一例において用いられる１０ビット補助ワードデータの説明に供される概念図である。
【図６】  本願の特許請求の範囲における請求項１から請求項１０までのいずれかに記載された発明に係るデータ伝送方法の一例の説明に供されるタイムチャートである。
【図７】  本願の特許請求の範囲における請求項１から請求項１０までのいずれかに記載された発明に係るデータ伝送方法の一例の説明に供されるタイムチャートである。
【図８】  本願の特許請求の範囲における請求項１から請求項６まで及び請求項８から請求項１０までのいずれかに記載された発明に係るデータ伝送方法の一例が実施される、本願の特許請求の範囲における請求項１１または請求項１２に記載された発明に係るデータ伝送装置の一例を示すブロック構成図である。
【図９】  図８に示されるデータ伝送装置における速度変換・データ挿入部の具体構成例を示すブロック構成図である。
【図１０】  本願の特許請求の範囲における請求項１から請求項６まで及び請求項８から請求項１０までのいずれかに記載された発明に係るデータ伝送方法の一例の説明に供されるタイムチャートである。
【図１１】  本願の特許請求の範囲における請求項１から請求項１０までのいずれかに記載された発明に係るデータ伝送方法の一例に従って送出される光信号を、本願の特許請求の範囲における請求項１４に記載された発明に係るデータ受信方法の一例に従って受信する、本願の特許請求の範囲における請求項１５に記載された発明に係るデータ受信装置の一例を示すブロック構成図である。
【図１２】  図１１に示されるデータ受信装置の動作説明に供されるタイムチャートである。
【図１３】  図１１に示されるデータ受信装置の動作説明に供されるタイムチャートである。
【図１４】  本願の特許請求の範囲における請求項１から請求項６まで及び請求項８から請求項１０までのいずれかに記載された発明に係るデータ伝送方法の一例に従って送出される光信号を、本願の特許請求の範囲における請求項１４に記載された発明に係るデータ受信方法の他の例に従って受信する、本願の特許請求の範囲における請求項１５に記載された発明に係るデータ受信装置の他の例を示すブロック構成図である。
【図１５】  図１４に示されるデータ受信装置の動作説明に供されるタイムチャートである。
【図１６】  ディジタルデータの伝送にあたって用いられる“フレーム”の説明に供される概念図である。
【図１７】  ディジタルデータの伝送にあたって用いられるワード同期データの説明に供される概念図である。
【図１８】  ディジタル映像信号のデータフォーマットの一例の説明に供される概念図である。
【符号の説明】
１１，３１・・・データ多重部，  １２，３２・・・８Ｂ／１０Ｂ変換・ワード列データ形成部，  １３，３３・・・速度変換・データ挿入部，  １４，１５，３４・・・ワードデータ送出部，  １６，２１，２２，３５，４０・・・スイッチ，  １７，３６・・・スイッチ制御信号形成部，  １８，１９，３７，３８・・・メモリ部，  ２０，３９・・・メモリ制御信号形成部，  ２３，４２・・・Ｐ／Ｓ変換部，  ２４，４３・・・送信部
【図１】
0004306095.tif 000002
【図２】
0004306095.tif 000003
【図３】
0004306095.tif 000004
【図４】
0004306095.tif 000005
【図５】
0004306095.tif 000006
【図６】
0004306095.tif 000007
【図７】
0004306095.tif 000008
【図８】
0004306095.tif 000009
【図９】
0004306095.tif 000010
【図１０】
0004306095.tif 000011
【図１１】
0004306095.tif 000012
【図１２】
0004306095.tif 000013
【図１３】
0004306095.tif 000014
【図１４】
0004306095.tif 000015
【図１５】
0004306095.tif 000016
【図１６】
0004306095.tif 000017
【図１７】
0004306095.tif 000018
【図１８】
0004306095.tif 000019